(57)【要約】【課題】厚さの薄い公転・自転する回転表示体の回転の適正化を図る。【解決手段】透過性の有る無色な合成樹脂からなる方形な薄板に複数の図柄を印刷し、真空成形により回転表示体領域が裏側から表側に半球形に突出した形状に形成し、プレス機械で回転表示体２５の外縁から外側に広がるフレア１２９を備えた形態の回転表示体２５に対する切断加工を行うことによって、回転表示体２５における開口周縁を補強し、回転表示体２５が公転・自転した場合、回転表示体２５が撓むことも振動することもなく、回転表示体の回転が適正となり、回転表示体２５を真空成形で作ることによって、回転表示体２５の厚さＴが薄くなり、駆動源に力に小さい小形の物を使用することができる。【選択図】図１
2005185689.tif 000002
【特許請求の範囲】
【請求項１】
半球形の回転表示体を公転駆動機構と自転駆動機構とで公転・自転する遊技回転表示装置において、回転表示体が外縁から外側に広がるフレアを備えたことを特徴とする遊技回転表示装置。
【請求項２】
半球形の回転表示体を公転駆動機構と自転駆動機構とで公転・自転する遊技回転表示装置において、回転表示体が外縁から内側に折れ曲がった後に外側に折れ曲がるフレアを備えたことを特徴とする遊技回転表示装置。
【請求項３】
透過性の有る無色な合成樹脂からなる方形な薄板に複数の図柄を印刷し、真空成形により回転表示体領域が裏側から表側に半球形に突出した形状に形成し、プレス機械で回転表示体の外縁から外側に広がるフレアを備えた形態の回転表示体に対する切断加工を行うことを特徴とする遊技回転表示装置に使用する回転表示体の製造方法。
【発明の詳細な説明】
【技術分野】
【０００１】
本発明は、厚さの薄い公転・自転する回転表示体の回転が適正な遊技回転表示装置に関する。
【背景技術】
【０００２】
遊技回転表示装置には、次のような構造のものが知られている。それは、中空半球形の回転表示体をステップモータのような駆動源で公転・自転する構造である。しかしながら、回転表示体を真空成形により作ることで、回転表示体の厚さを例えば０．２−０．５ｍｍ程度に薄く作ることで、駆動源に出力に小さい小形の物を使用することも考えられるけれども、回転表示体が公転・自転中に撓んだり振動したりするという欠点がある。
【特許文献１】特許３２７８７０８号公報
【特許文献２】特開平５−２８５２７１号公報
【発明の開示】
【発明が解決しようとする課題】
【０００３】
発明が解決しようとする問題点は、回転表示体を真空成形で作る程度に、回転表示体の厚さを薄くすると、公転・自転する表示体が撓んだり振動したりするという点である。
【課題を解決するための手段】
【０００４】
本発明の遊技回転表示装置は、半球形の回転表示体を公転駆動機構と自転駆動機構とで公転・自転する遊技回転表示装置において、回転表示体が外縁から外側に広がるフレアを備えるか、または、回転表示体が外縁から内側に折れ曲がった後に外側に折れ曲がるフレアを備えたことを最も主要な特徴とする。本発明の遊技回転表示装置に使用する回転表示体の製造方法は、透過性の有る無色な合成樹脂からなる方形な薄板に複数の図柄を印刷し、真空成形により回転表示体領域が裏側から表側に半球形に突出した形状に形成し、プレス機械で回転表示体の外縁から外側に広がるフレアを備えた形態の回転表示体に対する切断加工を行うことを最も主要な特徴とする。
【発明の効果】
【０００５】
本発明の遊技回転表示装置は、回転表示体が外縁から外側に広がるフレアを備えているので、回転表示体の厚さが、真空成形で作る程度に薄く形成されても、フレア回転表示体における開口周縁を補強し、回転表示体が公転・自転した場合、回転表示体が撓むことも振動することもなく、回転表示体の回転が適正となり、品質信頼性が向上するという利点がある。本発明の遊技回転表示装置は、回転表示体が外縁から内側に折れ曲がった後に外側に折れ曲がるフレアを備えたので、フレアの形状保持性が高くなるという利点がある。本発明の遊技回転表示装置に使用する回転表示体の製造方法は、回転表示体を真空成形で作ることによって、回転表示体の厚さが薄くなるので、駆動源に出力に小さい小形の物を使用することができるという利点がある。
【発明を実施するための最良の形態】
【０００６】
図１−図５は第1実施形態であって、図１は、回転表示体２５を軸心方向に沿い切断した断面を示す。図２は、回転表示体２５の製造工程を示す。図３は、回転表示体２５の一部を切除した遊技回転表示装置１の側面を示す。図４は、遊技回転表示装置１を主軸５の軸心に沿って切断した断面を示す。図５は、遊技回転表示装置１を分解して示す。
【０００７】
図２を参照し、回転表示体２５の作り方について説明する。図２のａ図に示すように、透過性の有る無色な合成樹脂からなる方形な薄板１１１の１枚から４個の回転表示体２５を作る場合を例示する。薄板１１１には、加工基準孔１１２が、４個の回転表示体領域１１３の各中心を結ぶ直線と各回転表示体領域１１３の間の２等分線１１４との交点の位置、２等分線１１４どうしの交点の位置の合計５ヶ所に形成される。これらの加工基準１１２を利用し、薄板１１１の裏面には、乳白色の基層１１５と、白色以外の色からなる種類の異なる複数の図柄１１６と、各回転表示体領域１１３の中心に十字形の目印１１７とが印刷される。次に、図２のｂ図に示すように、真空成形により、加工基準孔１１２を利用し、回転表示体領域１１３が裏側から表側に半球形に突出した形状に形成される。その後、図２のｃ図に示すように、固定型１１８と可動型１１９を使用するプレス機械で切断加工を行う。固定型１１８は、半球形凸部１２０の中心部に表示軸挿入孔形成孔１２１と位置決め孔形成孔１２２とを備え、半球形凸部１２０よりも径方向外側の全周囲に、切断刃１２３を備える。可動型１１９は、半球形凸部１２０を逃げる凹部１２４と、凹部１２４の開口端における切断刃１２５と、表示軸挿入孔形成孔１２１および位置決め孔形成孔１２２のそれぞれに対応するポンチ１２６；１２７とを備える。そして、真空成形で半球形に突出した回転表示体領域１１３が、固定型１１８における半球形凸部１２０に、被せられる。その状態において、可動型１１９が下降することによって、図１に示す形態の回転表示体２５が形成される。
【０００８】
図１を参照し、回転表示体２５の構造について説明する。回転表示体２５は、合成樹脂からなる半球形である。回転表示体２５の内部は、半球形の底面から内部に窪む半球形の空間を形成する。回転表示体２５の中心部には、図２のｃ図に示す表示軸挿入孔形成孔１２１と位置決め孔形成孔１２２およびポンチ１２６；１２７で加工された表示軸挿入孔１２８と位置決め孔８５とが形成され、回転表示体２５の外縁部には、図２のｃ図に示す切断刃１２３；１２５で、半球形凸部１２０よりも径方向外側の位置で切断されたことによるフレア１２９が形成される。フレア１２９と回転表示体２５の回転表示体２５の開口周縁とは曲率半径Ｒ１で連接される。
【０００９】
図５を参照し、遊技回転表示装置１の構成部材について説明する。遊技回転表示装置１は、装置躯体２、表示灯構造体３、回転表示構造体４、主軸５、公転駆動機構６、自転駆動機構７、公転位置検出器８、公転位置検体９、自転位置検出器１０、自転位置検体１１、太陽歯車１２、遊星歯車１３を備える。
【００１０】
装置躯体２は、円板状の躯体基板１５の周縁部より上方に突出した円形な周壁１６を備える。躯体基板１５には、主軸支柱１７と表示灯構造体３とが、設けられる。主軸支柱１７は、躯体基板１５の中心部に、躯体基板１５から上方に突出する。躯体基板１５の中心および主軸支柱１７の中心には、中心孔１８が、上下方向に貫通する。表示灯構造体３は、環状の表示灯回路基板２０の上面に、複数の表示灯としてのＬＥＤ２１を実装した構造である。そして、表示灯回路基板２０が、主軸支柱１７と周壁１６との間に位置して、躯体基板１５の上面に固定される。躯体基板１５の外周縁部からは、検出器支柱２２が、下方に突出する。検出器支柱２２の下部からは、検出器取付部２３が、径方向外側に突出する。この検出器支柱２２および検出器取付部２３は、自転位置検出器１０を取り付けるものであって、公転位置検出器８を取り付ける検出器支柱および検出器取付部は図示を省略してある。
【００１１】
回転表示構造体４は、回転表示体２５を支える表示軸２６が、表示軸支柱２７の中心部に回転可能に嵌め込まれ、遊星歯車１３が表示軸２６から下方に突出した表示軸２６の下端部に固定された構造である。回転表示体２５における底面から内部に窪む半球形の空間側に位置するな内面に印刷された複数の図柄は、例えば、「３」、「６」、「７」、「８」である。「３」と「７」とが、黄色で縁取りされた内側が赤色である。「６」が薄い青色で縁取りされた内側が濃い青色である。「８」が黒色の中に緑の線を有する縁取りされた内側が緑色である。表示軸支柱２７は、アルミニウム、アルミニウムコ合金、マグネシウム合金などの軽金属から構成され、斜めな直線的な棒状の表示軸装着部２８の上下方向中間部から、垂直な短柱形の公転軸結合部２９を、下方に突出した形態である。公転軸結合部２９の上下方向中心と表示軸装着部２８の斜め方向中心とが互いに斜めに交差する。回転表示体２５と表示軸支柱２７との間には、表示受体３０を備える。
【００１２】
主軸５は、内側の公転軸３２と外側の自転軸３３とを備える。直線棒状の公転軸３２が直線筒状の自転軸３３の内部に回転可能に嵌め込まれ、公転軸３２の上下端部が自転軸３３より上下に突出する。自転軸３３の下端部には、雄ねじの形成された雄ねじ部３４を有する。自転軸３３より下方に突出した公転軸３２の下端部には、雄ねじの形成された雄ねじ部３５を有する。
【００１３】
公転駆動機構６は、公転駆動源３７、公転駆動歯車３８、公転従動歯車３９を備える。公転駆動源３７は、躯体基板１５の下部に固定されたステップモータにより形成される。公転駆動歯車３８は、公転駆動源３７の出力軸（ステップモータの出力軸）に、固定される。つまり、公転駆動源３７の出力軸が駆動すると、公転駆動歯車３８が回転する。公転従動歯車３９は、円筒状の歯車基体４０の外周面に平歯車４１を形成した形態である。歯車基体４０の下端面には、公転位置検体９が、歯車基体４０から径方向外側に突出する。歯車基体４０は、上方に開口し、下端の塞がれた筒状である。歯車基体４０の下端を塞ぐ底部の中心には、公転軸挿入孔４２が、上下に貫通する。
【００１４】
自転駆動機構７は、自転駆動源４４、自転駆動歯車４５、自転従動歯車４６を備える。自転駆動源４４は躯体基板１５の下部に固定されたステップモータにより形成される。自転駆動歯車４５は、自転駆動源４４の出力軸（ステップモータの出力軸）に、固定される。つまり、自転駆動源４４の出力軸が駆動すると、自転駆動歯車４５が回転する。自転従動歯車４６は、円筒状の歯車基体４７の外周面に平歯車４８を形成した形態である。歯車基体４７の下端面には、自転位置検体１１が、歯車基体４７から径方向外側に突出する。歯車基体４７は、上方に開口し、下端の塞がれた筒状である。歯車基体４７の下端を塞ぐ底部の中心には、自転軸挿入孔４９が、上下に貫通する。
【００１５】
公転位置検出器８は、発光素子からの検出光を受光素子で受け取る、光透過非接触形であって、躯体基板１５の下部に取り付けられる。公転位置検体９は、外周縁部に、外周面から内部に窪む上下に貫通する複数のスリット５１を、周方向に等分配置に備える。そして、公転位置検出器８の発光素子と受光素子とが公転位置検体９の外周縁部を上下から挟む格好で、公転位置検出器８が公転位置検体９に対して配置され、公転位置検出器８の検出光が公転位置検体９の回転に伴いスリット５１を通過した場合と位置検体の外周縁部で遮断された場合とで、公転位置検出器８がオンオフ動作する。つまり、公転位置検出器８の検出光がスリット５１を通過するごとに、公転位置検出器８が位置検出信号を出力する。
【００１６】
自転位置検出器１０は、発光素子からの検出光を受光素子で受け取る、光透過非接触形であって、躯体基板１５の下部に取り付けられる。具体的には、自転位置検出器１０の発光素子または受光素子の内蔵された凸部が、検出器取付部２３に径方向外側から内側に嵌め込まれることで、自転位置検出器１０が検出器取付部２３に取り付けられる。
【００１７】
自転位置検体１１は、外周縁部に、外周面から内部に窪む上下に貫通する複数のスリット５２を、周方向に等分配置に備える。そして、自転位置検出器１０の発光素子と受光素子とが自転位置検体１１の外周縁部を上下から挟む格好で、自転位置検出器１０が自転位置検体１１に対して配置され、自転位置検出器１０の検出光が自転位置検体１１の回転に伴いスリット５２を通過した場合と位置検体の外周縁部で遮断された場合とで、自転位置検出器１０がオンオフ動作する。つまり、自転位置検出器１０の検出光がスリット５２を通過するごとに、自転位置検出器１０が位置検出信号を出力する。
【００１８】
太陽歯車１２は、上方から下方に窪む球面鏡形態の歯車基体５４の上外周縁部に傘歯車５５を形成し、歯車基体５４の中心に自転軸結合部５６を上方に突出した構造である。歯車基体５４の中心および自転軸結合部５６の中心には、自転軸取付孔５７が上下方向に貫通する。遊星歯車１３は、上方から下方に窪む球面鏡形態の歯車基体５９の上外周縁部に傘歯車６０が形成され、歯車基体５９の中心に表示軸結合部６１を上方に突出した構造である。歯車基体５９の中心および表示軸結合部６１の中心が表示軸２６を貫通させ、遊星歯車１３が表示軸２６に固定的に取り付けられる。この表示軸２６に取り付けられた遊星歯車１３が、自転軸３３に固定された太陽歯車１２に、噛み合わされる。
【００１９】
図４を参照し、遊技回転表示装置１の組立構造について説明する。表示灯回路基板２０が躯体基板１５から上方に突出した基板支柱６５の上に接触して搭載され、タッピングスクリューのような止ねじ６６が、表示灯回路基板２０から基板支柱６５に締結されることによって、表示灯構造体３が、装置躯体２に取り付けられる。主軸５が装置躯体２の主軸支柱１７の中心孔１８に嵌め込まれる。主軸支柱１７と主軸５との間には、上軸受６７と下軸受６８とが個別に装着される。主軸支柱１７より上方に突出した自転軸３３には、太陽歯車１２が外嵌装着される。この装着形態は、太陽歯車１２と自転軸３３とが、一緒に回転する構造である。
【００２０】
自転軸３３より上方に突出した公転軸３２には、表示軸支柱２７の公転軸結合部２９が、取り付けられる。具体的には、公転軸結合部２９には、公転軸取付孔７０が、公転軸結合部２９の下面から内部に窪む形態に形成される。この公転軸取付孔７０が、公転軸３２の上端部に、装着されることによって、表示軸支柱２７が公転軸３２に装着される。この装着形態は、表示軸支柱２７と公転軸３２とが、一緒に回転する構造である。このように表示軸支柱２７が公転軸３２に固定される場合、表示軸２６に固定された遊星歯車１３が、自転軸３３に固定された太陽歯車１２に噛み合わされる。表示軸支柱２７が公転軸３２に固定された場合、表示軸２６に固定された回転表示体２５は、装置躯体２と表示灯構造体３と主軸支柱１７および太陽歯車１２と、干渉しない配置構造になっている。
【００２１】
自転従動歯車４６の自転軸挿入孔４９が、躯体基板１５より下方に突出した自転軸３３に装着される。この場合、自転従動歯車４６の平歯車４８が、自転駆動歯車４５に、噛み合わされる。そして、ロックナット７２が、自転従動歯車４６より下方に突出した自転軸３３の雄ねじ部３４に、締結されることによって、自転従動歯車４６が、下軸受６８のインナーリングとロックナット７２とで挟まれて、自転軸３３と一緒に回転するように、自転軸３３に取り付けられる。
【００２２】
公転軸挿入孔４２が、自転軸３３より下方に突出した公転軸３２に装着される。この場合、公転従動歯車３９の平歯車４１が、公転駆動歯車３８に、噛み合わされる。そして、ロックナット７３が、公転従動歯車３９より下方に突出した公転軸３２の雄ねじ部３５に、締結されることによって、公転従動歯車３９が、公転軸３２と一緒に回転するように、公転軸３２に取り付けられる。公転駆動源３７のモータケースに固定されたモータ取付体７５は、躯体基板１５から下方に突出したモータ支柱７６に図外の止ねじで取り付けられる。自転駆動源４４のモータケースに固定されたモータ取付体７８は、躯体基板１５から下方に突出したモータ支柱７９に図外の止ねじで取り付けられる。
【００２３】
回転表示構造体４において、表示軸支柱２７の表示軸装着部２８と表示軸２６との間には、上下軸受８１；８２が装着される。表示軸２６における上軸受８１より上方に突出した上端部には、表示受体３０が、外嵌装着される。表示受体３０における回転表示体２５の内面中央を受け止める上面には、位置決め突起８３が突出する。回転表示体２５の中心部に形成された表示軸挿入孔８４が、表示受体３０より上方に突出する表示軸２６の上端部に、外側から嵌め込まれる。
【００２４】
そして、回転表示体２５に形成された位置決め孔８５が、位置決め突起８３に嵌め込まれた後、ナット８６が、回転表示体２５より上方に突出した表示軸２６の雄ねじ部８７に締結される。これによって、回転表示体２５が、ナット８６と表示受体３０とで挟まれて、表示軸２６に固定される。下軸受８２より下方に突出した表示軸２６の下端部には、スペーサ８８が外嵌装着される。遊星歯車１３の表示軸挿入孔８９が、下軸受８２より下方に突出した表示軸２６の下端部に嵌め込まれた後、ナット９０が、遊星歯車１３より下方に突出した雄ねじ部９１に締結される。これによって、遊星歯車１３が、ナット９０とスペーサ８８とで挟まれて、表示軸２６に固定される。表示軸装着部２８の斜め方向中心Ｌ１と公転軸結合部２９の上下方向中心Ｌ２との交差点９２は、回転表示体２５の自転公転の回転中心を構成する。
【００２５】
遊技回転表示装置１は、遊技盤１０１の裏面に木ねじなるタッピングスクリューのような止ねじ１０２で固定された部品取付体１０３に、取り付けられる。部品取付体１０３は、筒状の取付躯体１０４を備える。遊技盤１０１には、逃孔１０５が、取付躯体１０４の内部孔と対応する位置に、遊技盤１０１の表裏面に貫通する。遊技盤１０１の前面には、レンズ構造体１０７が、図外の木ねじなるタッピングスクリューのような止ねじで取り付けられる。レンズ構造体１０７の裏面からは、筒状の嵌合体１０８が、裏側に突出する。嵌合体１０８は、逃孔１０５および取付躯体１０４の内部に挿入される。取付躯体１０４の内周面と嵌合体１０８の外周面とは、互いに接触する。
【００２６】
そして、遊技回転表示装置１は、次のように取り付けられる。遊技回転表示装置１の回転表示構造体４が、取付躯体１０４の裏側から内部に挿入され、装置躯体２の周壁１６が取付躯体１０４の内部に取り込まれ、周壁１６より径方向外側に位置する躯体基板１５が、装置躯体２の裏端面に接触する。その状態において、図外のタッピングスクリューのような止ねじが、躯体基板１５から取付躯体１０４における図外の装置取付部に締結されることによって、遊技回転表示装置１が、遊技盤１０１に取り付けられる。このように遊技回転表示装置１が遊技盤１０１に取り付けられた状態において、回転表示体２５が、公転駆動源３７および自転駆動源４４で、公転と自転とを行う。この場合、回転表示体２５は、部品取付体１０３およびレンズ構造体１０７から離れ、部品取付体１０３およびレンズ構造体１０７と接触しない。
【００２７】
実施形態によれば、図４において、自転駆動源４４が停止し、公転駆動源３７が駆動すると、その駆動力が、公転駆動歯車３８、公転従動歯車３９を経由して公転軸３２を回転する。この公転軸３２の回転によって、表示軸支柱２７および表示軸２６が、公転軸３２と一緒に回転し、遊星歯車１３が、公転軸３２を中心に旋回する。この場合、遊星歯車１３が太陽歯車１２と噛み合っているので、遊星歯車１３は、旋回しつつ回転する。よって、回転表示体２５は、公転しつつ自転する。その状態において、自転駆動源４４が公転駆動源３７による遊星歯車１３の回転を相殺する方向に相殺する速度で駆動すると、その自転駆動源４４の駆動力が、自転駆動歯車４５、自転従動歯車４６を経由して自転軸３３を回転する。この自転転軸３３の回転によって、太陽歯車１２が遊星歯車１３の回転が相殺する方向に回転する。この太陽歯車１２の回転によって、上記遊星歯車１３の回転が相殺される。これによって、回転表示体２５は、自転しないで、公転する。また、自転駆動源４４が公転駆動源３７による遊星歯車１３の回転を増長する方向に駆動すると、その自転駆動源４４の駆動力が、自転転駆動歯車４５、自転従動歯車４６を経由して自転軸３３を回転する。この自転転軸３３の回転によって、遊星歯車１３の回転が増長され、回転表示体２５は、公転しつつ高速で自転する。つまり、公転駆動源３７が駆動すると、自転駆動源４４の停止、駆動、駆動方向によって、回転表示体２５が、公転と自転とを行うか、公転を行う。公転駆動源３７が停止し、自転駆動源４４が駆動すると、その駆動力が、自転転駆動歯車４５、自転従動歯車４６を経由して自転軸３３を回転する。この自転軸３３の回転によって、太陽歯車１２が回転する。この太陽は歯車１２の回転によって、遊星歯車１２が、旋回せずに回転する。これによって、回転表示体２５は、公転しないで、自転する。
【００２８】
実施形態の構造によれば、図１に示すように、回転表示体２５が外縁から外側に広がるフレア１２９を備えているので、回転表示体２５の厚さＴが、真空成形で作る程度に薄く形成されても、フレア１２９が回転表示体２５における開口周縁を補強する。よって、回転表示体２５の厚さＴが上記のように薄くても、回転表示体２５が公転・自転した場合、回転表示体２５が撓むことも振動することもなく、回転表示体２５の回転が適正となり、品質信頼性が向上するという利点がある。回転表示体２５を真空成形で作ることによって、回転表示体２５の厚さＴが薄くなるので、駆動源を出力に小さい小形の物を使用することができるという利点がある。
【００２９】
図６は、第２実施形態に係る回転表示体２５の断面を示す。フレア１３０が回転表示体２５の開口周縁から内側に折れ曲がった後、曲率半径Ｒ２の弧状を描いて内側から外側に延設した形態である。フレア１３０が回転表示体２５の開口縁から開口縁と平行となって内側に折れ曲がるのと、外側に向けて折れ曲がるのとの、２回の屈曲をなしているので、第１実施形態よりも回転表示体２５の重量は増すものの、フレア１３０の形状を保持する性能が高いという利点がある。
【００３０】
図７は、第３実施形態に係る回転表示体２５におけるフレア１３１；１３２の異なる形状を示す。図７のａ図に示すようにフレア１３１は、回転表示体２５の開口縁から開口縁と平行となって内側に折れ曲がった後、開口縁から外側に向けて直角に折れ曲がり、さらに外側に向けて直角に折れ曲がる形状である。図７のｂ図に示すようにフレア１３２は、回転表示体２５の開口縁から外側に向けて斜めに折れ曲がった後、開口縁と平行となって外側に折り待った形状である。第３実施形態の構造によれば、折れ曲がりが角を形成するので、フレア１３１；１３２の形状を保持する性能が、一層、高いという利点がある。
【産業上の利用可能性】
【００３１】
回転表示体２５を固定した表示軸２６の一端部が主軸５に対し片持ち梁のように片側で支持された構造でもよい。薄板１１１に拡散剤を入れれば、薄板１１１の外側面に印刷を行ってもよい。
【図面の簡単な説明】
【００３２】
【図１】回転表示体を示す断面図（第１実施形態）。
【図２】回転表示体の製造工程を示す平面図（第１実施形態）。
【図３】回転表示体を一部切除した遊技回転表示装置を示す側面図（第１実施形態）。
【図４】遊技回転表示装置を示す断面図（第１実施形態）。
【図５】遊技回転表示装置を示す分解斜視図（第１実施形態）。
【図６】回転表示体を示す断面図（第２実施形態）。
【図７】フレアを示す断面図（第３実施形態）。
【符号の説明】
【００３３】
１      遊技回転表示装置
５      主軸
６      公転駆動機構
７      自転駆動機構
２５    回転表示体
１１１  薄板
１１３  回転表示体領域
１１６  図柄
１２９  フレア
１３０  フレア
１３１  フレア
１３２  フレア
【図１】
2005185689.tif 000003
【図２】
2005185689.tif 000004
【図３】
2005185689.tif 000005
【図４】
2005185689.tif 000006
【図５】
2005185689.tif 000007
【図６】
2005185689.tif 000008
【図７】
2005185689.tif 000009